(57)【要約】【課題】折収可能なハンガーラック構造を提供する。【解決手段】折収可能なハンガーラック構造は主に、ハンガーラックの所定棒体上に若干の折収関節を装着し、折収関節は二転折素子を有し、それぞれ枢転部位と前記枢転部位周側から一体延伸するスリーブを有し、且つ、枢転部位の相対側にそれぞれ数個の噛合片を形成し、また、圧縮ばねを設置し、スリーブが所定棒体に設置される。枢転部位中央に更に螺栓を有し、ナットを螺固し、二枢転部位は互いに緊設し、相対側の各噛合片により噛合する。また、使用者は、適当にナットを緩めて、二枢転部位が圧縮ばねの作用を受け、二転折素子は螺栓を旋転軸心として枢転し、ハンガーラックを収合させる。【選択図】図３
0003134844.tif 000002
【実用新案登録請求の範囲】
【請求項１】
折収可能なハンガーラック構造であって、ハンガーラックの所定棒体上に装着された折収関節により、ハンガーラックが適当に転折収合でき、前記折収関節は、それぞれ枢転部位と前記枢転部位周側から一体延伸するスリーブを有し、前記枢転部位の相対側にそれぞれ数個の放射状の噛合片を形成し、相互に噛合して、前記枢転部位は転動せず、且つ、前記枢転部位の相対側中央にそれぞれ穿孔を貫通し、前記スリーブはそれぞれハンガーラックの所定棒体端部に定位させ、圧縮ばねは二転折素子の相対側間に定位し、前記二転折素子は互いに適当に距離を維持し、螺栓は螺栓部を有し、前記転折素子外側の穿孔よりもう一つの転折素子の穿孔から貫通し、ナットは、中央に螺孔を有し、前記螺栓の螺栓部と螺固し、前記二転折素子が互いに噛合することを特徴とする折収可能なハンガーラック構造。
【請求項２】
前記転折素子の枢転部位の相対側中央に弾性容槽を形成し、圧縮ばね等を定位させることを特徴とする請求項１に記載の折収可能なハンガーラック構造。
【請求項３】
前記螺栓の螺栓部は前記二転折素子の穿孔を貫通した後、その末端は更に自鎖パッドを有し、前記二転折素子が互いに分離脱落するのを防止することを特徴とする請求項１に記載の折収可能なハンガーラック構造。
【請求項４】
前記ナット外側に更に凹槽を有し、前記螺孔は前記凹槽の槽底面中央部位に位置することを特徴とする請求項１に記載の折収可能なハンガーラック構造。
【請求項５】
前記ナット外側の凹槽は更に蓋を有することを特徴とする請求項４に記載の折収可能なハンガーラック構造。
【請求項６】
前記螺栓は螺頭部を有し、前記螺頭部内側から前記螺栓部を延伸し、前記螺頭部の外側は板転部を有することを特徴とする請求項１に記載の折収可能なハンガーラック構造。
【請求項７】
前記ナット外側は板転部を有し、前記凹槽は前記板転部の中央に位置することを特徴とする請求項４に記載の折収可能なハンガーラック構造。
【考案の詳細な説明】
【技術分野】
【０００１】
本考案はハンガーラックに関するものであって、特に、ハンガーラックの所定の棒体上に装着し、ラックが簡単に折収できる構造に関する。
【背景技術】
【０００２】
公知のハンガーラックは左右の二縦棒を有し、棒の頂端間に吊り棒を連接し、底端に少なくとも一つの底座横棒を連接して、ハンガーラックは頂端の吊り棒により衣裳を掛けることができる。ハンガーラックの長さと体積は大きく、且つ、折収の功能を有さないので、運搬、収納、保存時に、通常は、各棒体を逐一取り外して、使用時には再度組み立てなければいけないので、非常に不便である。
【考案の開示】
【考案が解決しようとする課題】
【０００３】
本考案は、折収可能なハンガーラック構造を提供し、上述の問題を解決することを目的とする。
【課題を解決するための手段】
【０００４】
本考案の折収可能なハンガーラック構造は、主に、ハンガーラックの適当な位置に若干の折収関節を有し、折収関節は、二転折素子を有し、それぞれ、枢転部とスリーブを有する。使用者が適当にナットを緩めると、二枢転部位と相対する圧縮ばねにより弾性抵接し、二転接素子が適当に分離し、互いに噛合状態を脱離し、螺栓を旋転軸心として枢転し、ハンガーラックが適当に収合する。
【考案の効果】
【０００５】
本考案により、公知のハンガーラックが折収の功能を有さないので、運搬、収納、保存時に、逐一取り外して、使用時には再度組み立てなければいけない不便が改善される。
【考案を実施するための最良の形態】
【０００６】
図１は本考案の折収可能なハンガーラック構造を示し、本実施例のハンガーラックは、左右縦棒１０を有し、縦棒１０の伸縮管１１頂端間は吊り棒２０を連接する。縦棒１０の伸縮管１１底端内側管１２間に、底座横棒３０を設置する。特に、本考案のハンガーラックの吊り棒２０中段、及び、二端と内側管１２連接箇所と底座横棒３０中段、及び、二端と内側管１２の連接箇所に、折収関節４０を装着し、ハンガーラックは吊り棒２０と底座横棒３０上の折収関節４０の適当な枢転により収合の効果を達成する。図２〜図４で示されるように、本考案の折収関節４０は主に、二転接素子４１、圧縮ばね４２、螺栓４３、ナット４４、自鎖パッド４５、及び、蓋４６、からなる。
【０００７】
転折素子４１はそれぞれ枢転部位４１ａと枢転部位４１ａ周側から一体延伸するスリーブ４１ｂを有する。これらの枢転部位４１ａの相対側にそれぞれ数個の放射状の噛合片４１１を形成し、相互に噛合して、枢転部位４１ａは転動しない。且つ、転折素子４１の枢転部位４１ａの相対側中央に弾性容槽４１２を形成し、枢転部位４１ａ相対側中央部位にそれぞれ穿孔４１３を貫通する。また、スリーブ４１ｂはそれぞれハンガーラックの吊り棒２０、伸縮管１１、底座横棒３０と内側管１２等を適当に定位させる。
【０００８】
圧縮ばね４２は二転折素子４１の相対側の弾性容槽４１２間に定位し、二転折      素子４１は互いに適当に距離を維持している。
【０００９】
螺栓４３は螺頭部４３１と螺栓部４３２を有し、螺頭部４３１外側中央に板転部４３３を有し、螺栓部４３２は転折素子４１外側の穿孔４１２よりもう一つの転折素子４１の穿孔４１２から貫通して出る。
【００１０】
ナット４４は、外側中間部に板転部４４１を有し、板転部４４１上に凹槽４４２を有し、且つ、凹槽４４２の槽底面に螺孔４４３を貫設し、螺栓４３の螺栓部４３２と螺固し、二転折素子４１が噛合する。
【００１１】
自鎖パッド４５は螺栓４３の螺栓部４３２が二転折素子４１の穿孔４１２を貫通した後、螺栓部４３２の末端部に固定され、位置制限作用を形成して、転折素子４１が圧縮ばね４２により弾力作用を受け、螺栓４３が完全に脱離するのを防止する。
【００１２】
蓋４６はナット４４の外側凹槽４４２中に嵌入され、凹槽４４２を封閉し、美観を増加させる。
【００１３】
本考案の構造を更に説明すると、図１、図３、図４で示されるように、本考案の折収関節４０は、それぞれ、ハンガーラック２０中段に装着され、吊り棒２０二端と伸縮管１１頂端間、底座横棒３０中段、底座横棒３０二端と内側間２間に装着され、これにより、各折収関節４０上のナット４４と螺栓４３が相互に螺固する時、二相対転折素子４１の枢転部位４１ａが緊着するので、二枢転部位４１ａの相対側の各噛合片４１１は噛合し、枢転作動を生成せず、よって、ハンガーラック上の吊り棒２０は衣裳を掛けることができる。底座横棒３０は、左右二縦棒２０が必要な堅固な連接功能を提供する。次に、使用者がハンガーラックを運送、収納、或いは、保管したい時、各折収関節４０上の螺栓４３とナット４４をそれぞれ外側の板転部位４３３、４４１を適当に緩め、図５で示されるように、各折折関節４０の枢転部位４１ａはそれぞれ圧縮ばね４２の弾性作用を受けて分離し、相対側の各噛合片４１１が互いに噛合状態を脱離する。その後、吊り棒２０中段が下に施力され、同時に、底座横棒３０中段は上に施力され、折収関節４０が螺栓４３を旋転軸心として適当に枢転し、吊り棒２０と底座横棒３０はそれぞれ下と上に折収定位し、図６で示されるように、左右縦棒１０は内側に縮合する。ハンガーラックを収合状態に維持するため、使用者は更に、折収関節４０の螺栓４３とナット４４を互いに鎖固し、ハンガーラックの運送をたやすくする。
【００１４】
特に、本考案の各折収関節４０の枢転部位４１ａの相対側に数個の放射状の噛合片４１１を設置し、螺栓４３とナット４４が相互に螺固して堅固に固定され、これにより、結合強度が公知のものより強く、ハンガーラックは確実な功能を有し、枢転する現象が生じない。この他、本考案の各折収関節４０は枢転部位４１ａの相対側間に装着された圧縮ばね４２を利用し、螺栓４３とナット４４が互いに緩む時、枢転部位４１ａは圧縮ばね４２の作用を受け、同時に自動分離し、手動による分離が不要であり、操作が容易である。また、螺栓４３末端の自鎖パッド４５により、転折素子４１が圧縮ばね４２の作用を受ける時、自鎖パッド４５の抵止により、螺栓４３を完全に脱離するのを防止し、枢転構造の各素子が分散分離するのを防止する。よって、ハンガーラックの収合操作は快速、簡単である。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】本考案のハンガーラック装着状態図である。
【図２】本考案の外観組み合わせ図である。
【図３】本考案の立体分解図である。
【図４】本考案の緊密状態の側視断面図である。
【図５】本考案の緩んだ状態の側視断面図である。
【図６】本考案の折収関節を利用した収合状態図である。
【符号の説明】
【００１７】
１０    縦棒
１１    伸縮管
１２    内側管
２０    吊り棒
３０    底座横棒
４０    折收関節
４１    転折元件
４１ａ  枢転部位
４１１  噛合片
４１２  弾性容槽
４１３  穿孔
４１６  スリーブ
４２    圧縮ばね
４３    螺栓
４４   ナット
４３１ 螺頭部
４３２ 螺栓部
４３３ 板転部
４４１ 板転部
４４２ 凹槽
４４３ 螺孔
４５  自鎖パッド
４６    蓋
【図１】
0003134844.tif 000003
【図２】
0003134844.tif 000004
【図３】
0003134844.tif 000005
【図４】
0003134844.tif 000006
【図５】
0003134844.tif 000007
【図６】
0003134844.tif 000008
【手続補正書】
【提出日】平成19年7月3日(2007.7.3)
【手続補正１】
【補正対象書類名】実用新案登録請求の範囲
【補正対象項目名】請求項１
【補正方法】変更
【補正の内容】
【請求項１】
複数の棒体と複数の折収関節から成る折収可能なハンガーラック構造であって、ハンガーラックの所定棒体上に上記折収関節が装着され、前記折収関節は一対の転折素子から成り、各転折素子はそれぞれ枢転部位と前記枢転部位周側から一体延伸するスリーブを有し、前記枢転部位の相対側にそれぞれ数個の放射状の噛合片を形成し、相互に噛合して、前記枢転部位は転動せず、且つ、前記枢転部位の相対側中央にそれぞれ穿孔を貫通し、前記スリーブはそれぞれハンガーラックの所定棒体に定位させ、圧縮ばねは一対の転折素子の相対側間に定位し、前記一対の転折素子は互いに適当に距離を維持し、螺栓は螺栓部を有し、前記一方の転折素子外側の穿孔より他方の転折素子の穿孔から貫通し、ナット部材は、中央に螺孔を有し、前記螺栓の螺栓部と螺固し、前記一対の転折素子が互いに噛合することを特徴とする折収可能なハンガーラック構造。
【手続補正２】
【補正対象書類名】実用新案登録請求の範囲
【補正対象項目名】請求項３
【補正方法】変更
【補正の内容】
【請求項３】
前記螺栓の螺栓部は前記一対の転折素子の穿孔を貫通した後、その末端は更に自鎖パッドを有し、前記一対の転折素子が互いに分離脱落するのを防止することを特徴とする請求項１に記載の折収可能なハンガーラック構造。
【手続補正３】
【補正対象書類名】実用新案登録請求の範囲
【補正対象項目名】請求項４
【補正方法】変更
【補正の内容】
【請求項４】
前記ナット部材外側に更に凹槽を有し、前記螺孔は前記凹槽の槽底面中央部位に位置することを特徴とする請求項１に記載の折収可能なハンガーラック構造。
【手続補正４】
【補正対象書類名】実用新案登録請求の範囲
【補正対象項目名】請求項７
【補正方法】変更
【補正の内容】
【請求項７】
前記ナット部材外側は板転部を有し、前記凹槽は前記板転部の中央に位置することを特徴とする請求項４に記載の折収可能なハンガーラック構造。
【手続補正５】
【補正対象書類名】明細書
【補正対象項目名】０００４
【補正方法】変更
【補正の内容】
【０００４】
本考案の折収可能なハンガーラック構造は、主に、ハンガーラックの適当な位置に若干の折収関節を有し、折収関節は、一対の転折素子を有し、それぞれ、枢転部とスリーブを有する。使用者が適当にナット部材を緩めると、二枢転部位と相対する圧縮ばねにより弾性抵接し、一対の転接素子が適当に分離し、互いに噛合状態を脱離し、螺栓を旋転軸心として枢転し、ハンガーラックが適当に収合する。
【手続補正６】
【補正対象書類名】明細書
【補正対象項目名】０００６
【補正方法】変更
【補正の内容】
【０００６】
図１は本考案の折収可能なハンガーラック構造を示し、本実施例のハンガーラックは、左右縦棒１０を有し、縦棒１０の伸縮管１１頂端間は吊り棒２０を連接する。縦棒１０の伸縮管１１底端内側管１２間に、底座横棒３０を設置する。特に、本考案のハンガーラックの吊り棒２０中段、及び、二端と内側管１２連接箇所と底座横棒３０中段、及び、二端と内側管１２の連接箇所に、折収関節４０を装着し、ハンガーラックは吊り棒２０と底座横棒３０上の折収関節４０の適当な枢転により収合の効果を達成する。図２〜図４で示されるように、本考案の折収関節４０は主に、一対の転接素子４１、圧縮ばね４２、螺栓４３、ナット部材４４、自鎖パッド４５、及び、蓋４６、からなる。
【手続補正７】
【補正対象書類名】明細書
【補正対象項目名】０００８
【補正方法】変更
【補正の内容】
【０００８】
圧縮ばね４２は一対の転折素子４１の相対側の弾性容槽４１２間に定位し、一対の転折素子４１は互いに適当に距離を維持している。
【手続補正８】
【補正対象書類名】明細書
【補正対象項目名】００１０
【補正方法】変更
【補正の内容】
【００１０】
ナット部材４４は、外側中間部に板転部４４１を有し、板転部４４１上に凹槽４４２を有し、且つ、凹槽４４２の槽底面に螺孔４４３を貫設し、螺栓４３の螺栓部４３２と螺固し、一対の転折素子４１が噛合する。
【手続補正９】
【補正対象書類名】明細書
【補正対象項目名】００１１
【補正方法】変更
【補正の内容】
【００１１】
自鎖パッド４５は螺栓４３の螺栓部４３２が一対の転折素子４１の穿孔４１２を貫通した後、螺栓部４３２の末端部に固定され、位置制限作用を形成して、転折素子４１が圧縮ばね４２により弾力作用を受け、螺栓４３が完全に脱離するのを防止する。
【手続補正１０】
【補正対象書類名】明細書
【補正対象項目名】００１２
【補正方法】変更
【補正の内容】
【００１２】
蓋４６はナット部材４４の外側凹槽４４２中に嵌入され、凹槽４４２を封閉し、美観を増加させる。
【手続補正１１】
【補正対象書類名】明細書
【補正対象項目名】００１３
【補正方法】変更
【補正の内容】
【００１３】
本考案の構造を更に説明すると、図１、図３、図４で示されるように、本考案の折収関節４０は、それぞれ、ハンガーラック２０中段に装着され、吊り棒２０二端と伸縮管１１頂端間、底座横棒３０中段、底座横棒３０二端と内側間２間に装着され、これにより、各折収関節４０上のナット部材４４と螺栓４３が相互に螺固する時、二相対転折素子４１の枢転部位４１ａが緊着するので、二枢転部位４１ａの相対側の各噛合片４１１は噛合し、枢転作動を生成せず、よって、ハンガーラック上の吊り棒２０は衣裳を掛けることができる。底座横棒３０は、左右二縦棒２０が必要な堅固な連接功能を提供する。次に、使用者がハンガーラックを運送、収納、或いは、保管したい時、各折収関節４０上の螺栓４３とナット部材４４をそれぞれ外側の板転部位４３３、４４１を適当に緩め、図５で示されるように、各折折関節４０の枢転部位４１ａはそれぞれ圧縮ばね４２の弾性作用を受けて分離し、相対側の各噛合片４１１が互いに噛合状態を脱離する。その後、吊り棒２０中段が下に施力され、同時に、底座横棒３０中段は上に施力され、折収関節４０が螺栓４３を旋転軸心として適当に枢転し、吊り棒２０と底座横棒３０はそれぞれ下と上に折収定位し、図６で示されるように、左右縦棒１０は内側に縮合する。ハンガーラックを収合状態に維持するため、使用者は更に、折収関節４０の螺栓４３とナット部材４４を互いに鎖固し、ハンガーラックの運送をたやすくする。
【手続補正１２】
【補正対象書類名】明細書
【補正対象項目名】００１４
【補正方法】変更
【補正の内容】
【００１４】
特に、本考案の各折収関節４０の枢転部位４１ａの相対側に数個の放射状の噛合片４１１を設置し、螺栓４３とナット部材４４が相互に螺固して堅固に固定され、これにより、結合強度が公知のものより強く、ハンガーラックは確実な功能を有し、枢転する現象が生じない。この他、本考案の各折収関節４０は枢転部位４１ａの相対側間に装着された圧縮ばね４２を利用し、螺栓４３とナット部材４４が互いに緩む時、枢転部位４１ａは圧縮ばね４２の作用を受け、同時に自動分離し、手動による分離が不要であり、操作が容易である。また、螺栓４３末端の自鎖パッド４５により、転折素子４１が圧縮ばね４２の作用を受ける時、自鎖パッド４５の抵止により、螺栓４３を完全に脱離するのを防止し、枢転構造の各素子が分散分離するのを防止する。よって、ハンガーラックの収合操作は快速、簡単である。
【手続補正１３】
【補正対象書類名】明細書
【補正対象項目名】００１７
【補正方法】変更
【補正の内容】
【００１７】
１０    縦棒
１１    伸縮管
１２    内側管
２０    吊り棒
３０    底座横棒
４０    折收関節
４１    転折素子
４１ａ  枢転部位
４１１  噛合片
４１２  弾性容槽
４１３  穿孔
４１ｂ  スリーブ
４２    圧縮ばね
４３    螺栓
４４   ナット部材
４３１ 螺頭部
４３２ 螺栓部
４３３ 板転部
４４１ 板転部
４４２ 凹槽
４４３ 螺孔
４５  自鎖パッド
４６    蓋